(57)【要約】【課題】車いす・歩行車の洗浄、部品交換、点検等の作業を、無理な姿勢をとることなく簡単に行うことができるようにした車いす・歩行車専用作業台を提案すること。【解決手段】車いす・歩行車専用作業台１は、作業対象の車いす・歩行車を載せるテーブル２と、テーブル２に載せた車いす・歩行車の左右の車輪を回転自在の状態で載せることの可能な一定間隔で配置された一対の左フリーローラー４ａ、４ｂおよび一対の右フリーローラー５ａ、５ｂと、テーブル２を、水平姿勢を維持した状態で、昇降可能に支持している架台１４と、テーブル２を昇降させる昇降機構２０とを有している。車いす・歩行車を載せたテーブル２を昇降させることで負担の掛からない姿勢で作業を行うことができる。車輪を容易に回転させることができるので、その洗浄作業等を簡単に行うことができる。【選択図】図２
2014198103.tif 000002
【特許請求の範囲】
【請求項１】
作業対象の車いす・歩行車を載せるテーブルと、
前記テーブルに載せた前記車いす・歩行車の左右の車輪を回転自在の状態で載せることの可能な一対の左フリーローラーおよび一対の右フリーローラーと、
前記テーブルを、水平姿勢を維持した状態で、昇降可能に支持している架台と、
前記テーブルを昇降させる昇降機構と、
を有していることを特徴とする車いす・歩行車専用作業台。
【請求項２】
前記左フリーローラーおよび前記右フリーローラーは、前記テーブルのテーブル面上に位置するローラー使用位置から前記テーブル面の下側のローラー収納位置に収納可能である請求項１に記載の車いす・歩行車専用作業台。
【請求項３】
前記テーブルのテーブル面は、前記左フリーローラーおよび前記右フリーローラーのそれぞれの隣接位置に、ローラー収納用開口部を備え、
前記左フリーローラーおよび前記右フリーローラーのそれぞれは、前記ローラー収納用開口部を介して前記ローラー収納位置まで旋回可能であり、
前記左フリーローラーおよび前記右フリーローラーを前記ローラー収納位置に旋回すると、これらのローラーを回転自在の状態で支持しているローラーブラケットによって、前記ローラー収納用開口が封鎖される請求項２に記載の車いす・歩行車専用作業台。
【請求項４】
前記昇降機構は、踏み込まれると前記テーブルを上昇させる上昇用ペダル、および、踏み込まれると前記テーブルを下降させる下降用ペダルを備え、
前記上昇用ペダルおよび前記下降用ペダルは前記架台に取り付けられている請求項１ないし３のうちのいずれか一つの項に記載の車いす・歩行車専用作業台。
【請求項５】
前記架台は、その四隅に、アウトリガーを備えている請求項１ないし４のうちのいずれか一つの項に記載の車いす・歩行車専用作業台。
【請求項６】
前記テーブルを垂直な旋回中心線回りの旋回可能な状態で支持しているテーブル支持盤を有し、
前記架台は、前記テーブル支持盤を介して、前記架台を支持している請求項１ないし５のうちのいずれか一つの項に記載の車いす・歩行車専用作業台。
【請求項７】
前記テーブル支持盤は、前記旋回中心線を中心とする同一円上に配置した複数のキャスターを備え、
前記テーブルは、前記旋回中心線回りに旋回可能な状態で前記キャスターによって支持されている請求項６に記載の車いす・歩行車専用作業台。
【請求項８】
前記テーブルの旋回をロックするために操作される旋回ロックレバーと、
前記旋回ロックレバーの操作に連動して前記テーブルに押し付け可能なロック用シャフトと、
を備えている請求項７に記載の車いす・歩行車専用作業台。
【発明の詳細な説明】
【技術分野】
【０００１】
本発明は、車いすおよび歩行車の洗浄、メンテナンス等の作業に用いる車いす・歩行車専用作業台に関する。
【背景技術】
【０００２】
現在、介護用品のレンタル需要の増大に伴い、レンタル製品のメンテナンス等の業務も増加している。特に、車いす・歩行車の洗浄、点検、部品交換などの業務の増加に伴い、このような業務に対する改善が強く要望されている。現状では、車いす・歩行車のメンテナンス等においては、一般的な作業机あるいは床上に、作業対象の車いす・歩行車（以下、これらをワークと呼ぶ場合もある。）を置いて、これらに対する作業を行っている。この作業においては、作業対象のワークの位置、大きさ、作業箇所等に応じて、作業員が体勢を変える必要がある。また、車いすの裏面などの点検作業においては、重量のある車いすを高い位置まで持ち上げ、あるいは、車いすを反転させた不安定な状態で、作業を行っている。
【０００３】
ここで、車いす・歩行車の洗浄等については、特許文献１、２において提案されているように、それらの車輪の洗浄に適した車輪洗浄機が提案されている。しかしながら、車いす、歩行車における部品交換、点検などの車輪洗浄以外の作業を行うのに適した専用の作業台については何ら提案されていない。
【先行技術文献】
【特許文献】
【０００４】
【特許文献１】特開２０１０−０５７６２５号公報
【特許文献２】特開２００８−０８０８４９号公報
【発明の概要】
【発明が解決しようとする課題】
【０００５】
このように、従来においては、車いす・歩行車の洗浄、点検、部品交換等の作業に適した専用の作業台については何ら着目されていない。このため、介護用品のメンテナンスを行う作業員等は、増加するメンテナンス業務に対応するために、無理な姿勢での長時間の作業を強いられ、腰痛等に苦しんでいるのが現状である。
【０００６】
本発明の課題は、このような点に鑑みて、車いす・歩行車の洗浄、点検、部品交換等の作業を、無理な姿勢をとることなく簡単かつ効率的に行うことのできる車いす・歩行車専用作業台を提案することにある。
【課題を解決するための手段】
【０００７】
上記の課題を解決するために、本発明の車いす・歩行車専用作業台は、作業対象の車いす・歩行車を載せるテーブルと、前記テーブルに載せた前記車いす・歩行車の左右の車輪を回転自在の状態で載せることの可能な一定間隔で配置された一対の左フリーローラーおよび一対の右フリーローラーと、前記テーブルを、水平姿勢を維持した状態で、昇降可能に支持している架台と、前記テーブルを昇降させる昇降機構とを有していることを特徴としている。
【０００８】
作業対象のワークをテーブルに載せる作業においては、昇降機構によってテーブルを最も低い位置まで下げる。これにより、重量のあるワークを高い位置にあるテーブルに載せる必要がなく、作業員の負担を軽減できる。また、テーブル上には、左右にそれぞれ一対の左フリーローラーおよび右フリーローラーが配置されている。ワークの左右の車輪をそれぞれ一対の左フリーローラーおよび一対の右フリーローラーに載せると、ワークをテーブル上に位置決めでき、ワークがテーブル上で前後左右に移動することがない。
【０００９】
テーブルに載せたワークの洗浄、部品交換、点検作業等においては、対象となる部位が適切な高さ位置となるように、テーブルを昇降させることができる。これにより、ワークの下部の洗浄等を作業員が腰をかがめた姿勢等の無理な姿勢で行う必要がなくなる。また、車輪のタイヤ表面の洗浄、点検等においては、左右のローラー上に左右の車輪が載っているので、左右の車輪を回転させながら車輪の円周方向の各部分の洗浄、点検等を行うことができる。
【００１０】
本発明において、前記左フリーローラーおよび前記右フリーローラーは、前記テーブルのテーブル面上に位置するローラー使用位置から前記テーブル面の下側のローラー収納位置に収納可能であることが望ましい。
【００１１】
このために、前記テーブルのテーブル面は、前記左フリーローラーおよび前記右フリーローラーのそれぞれの隣接位置に、ローラー収納用開口部を備え、前記左フリーローラーおよび前記右フリーローラーのそれぞれは、前記ローラー収納用開口部を介して前記ローラー収納位置まで旋回可能であり、前記左フリーローラーおよび前記右フリーローラーを前記ローラー収納位置に旋回すると、これらのローラーを回転自在の状態で支持しているローラーブラケットによって、前記ローラー収納用開口が封鎖されるようにすればよい。
【００１２】
左右のローラーをテーブルの下側に収納すると、テーブルのテーブル面はフラットな状態になる。例えば、テーブル面上においてワークを押しながら、そのブレーキの効き具合を確認する作業等を簡単に行うことができる。
【００１３】
本発明において、前記昇降機構は、前記テーブルを上昇させる上昇用ペダル、および、前記テーブルを下降させる下降用ペダルを備え、前記上昇用ペダルおよび前記下降用ペダルは前記架台に取り付けられていることが望ましい。このようにすれば、手作業を行いながら、あるいは、ワークを目視している姿勢を変えることなく、テーブルの高さ調整を簡単に行うことができる。
【００１４】
本発明において、前記架台は、その四隅に、アウトリガーを備えていることが望ましい。アウトリガーによって架台を確実に床等に固定することができる。これにより、床の上、固定高さの作業机の上での作業と同様に、安定した状態でワークに対して清拭等の作業を行うことができる。
【００１５】
本発明において、前記テーブルを垂直な旋回中心線回りに旋回可能な状態で支持しているテーブル支持盤を有していることが望ましい。ワークの各部の点検作業、ホースを用いた高圧洗浄作業などにおいては、ワークを回しながら各部の点検、洗浄を行うことができるので、作業者がワークの周りをまわりながら作業する必要がなくなる。また、ワークの周りにホースが絡むことがなく、効率良く洗浄作業を行うことができる。
【００１６】
この場合、前記テーブル支持盤は、前記旋回中心線を中心とする同一円上に配置した複数のキャスターを備え、前記テーブルは、前記旋回中心線回りに旋回可能な状態で前記キャスターによって支持されている旋回構造を採用することができる。キャスターを用いることで、旋回構造を廉価に製造できる。
【００１７】
本発明において、前記テーブルの旋回をロックするために操作される旋回ロックレバーと、前記旋回ロックレバーの操作に連動して前記テーブルに押し付け可能なロック用シャフトとを備えていることが望ましい。ワークを作業員が作業しやすい向きに旋回させ、その旋回位置にロックすることで、ワークの所定の箇所に対する作業中にワークが旋回してしまうことを防止できる。
【図面の簡単な説明】
【００１８】
【図１】本発明を適用した車いす・歩行車専用作業台の全体構成を示す概要図である。
【図２】図１の車いす・歩行車専用作業台に車いすを載せた状態を示す説明図である。
【図３Ａ】図１の車いす・歩行車専用作業台の平面図である。
【図３Ｂ】図３Ａの車いす・歩行車専用作業台の正面図である。
【図３Ｃ】図３Ａの車いす・歩行車専用作業台の側面図である。
【図４】フリーローラーおよびロック機構の部分を示す説明図である。
【発明を実施するための形態】
【００１９】
以下に、図面を参照して本発明を適用した車いす・歩行車専用作業台の実施の形態を説明する。
（全体構成）
図１は本実施の形態に係る車いす・歩行車専用作業台の全体構成を示す概要図であり、図２は作業対象の車いすを載せた状態を示す説明図である。また、図３Ａは車いす・歩行車専用作業台の平面図であり、図３Ｂはその正面図であり、図３Ｃはその側面図である。
【００２０】
車いす・歩行車専用作業台１（以下、単に「作業台１」という。）は、作業対象のワーク１００（車いす・歩行車）を載せるテーブル２を備えている。テーブル２は作業台幅方向Ｘに長い略長方形のテーブルであるが、形状は長方形に限定されるものではなく正多角形、円形等の別の形状であってもよい。
【００２１】
テーブル２のテーブル面３はフラットな面であり、その作業台幅方向Ｘの一方の端の側の部位には、一対の左フリーローラー４ａ、４ｂおよび一対の右フリーローラー５ａ、５ｂが配置されている。左フリーローラー４ａ、４ｂは作業台幅方向Ｘに一定の間隔で平行な状態で水平に配置されており、右フリーローラー５ａ、５ｂも同様に配置されている。左フリーローラー４ａ、４ｂと右フリーローラー５ａ、５ｂとは、作業台前後方向Ｙにおいて対称な状態に配置されている。図２において二点鎖線で示すように、左フリーローラー４ａ、４ｂ、右フリーローラー５ａ、５ｂには、それらに跨る状態でワーク１００の左右の車輪１０１Ｌ、１０１Ｒが載る。このようなフリーローラーを用いることにより、車輪間隔、車輪サイズの異なるワークであっても安定した状態でテーブル２に載せることができる。
【００２２】
テーブル２のテーブル面３には、図１、図３から分かるように、左フリーローラー４ａ、４ｂの間の部位に、これらを収納するための長方形のローラー収納用開口部６ａ、６ｂが開口している。同様に、右フリーローラー５ａ、５ｂの間の部位には、これらを収納するためのローラー収納用開口部７ａ、７ｂが開口している。
【００２３】
テーブル２は、その中心に位置する垂直な旋回中心線２ａ回りに旋回可能な状態で、テーブル支持盤８によって支持されている。テーブル支持盤８はテーブル２よりも小さな長方形の盤である。テーブル支持盤８は、作業台幅方向Ｘにおける左右のフリーローラー４ａ、４ｂ、５ａ、５ｂの側に偏った位置において、テーブル２を支持している。
【００２４】
テーブル２の裏面には、テーブル２の旋回ロック機構９が配置されている。旋回ロック機構９は、テーブル２の旋回をロックするために操作される旋回ロックレバー９ａと、旋回ロックレバー９ａの操作に連動してテーブル２の外周面に押し付け可能なロック用シャフト９ｂとを備えている。旋回ロックレバー９ａは、テーブル２における作業台幅方向Ｘの一方の端からは、側方に旋回ロックレバー９ａが突出している。
【００２５】
テーブル支持盤８は、作業台前後方向Ｙに間隔を開けて配置した前後一対の開閉式の支持脚１１、１２によって支持されている。支持脚１１は、作業台前後方向Ｙに水平に延びる連結軸１３を中心として開閉可能な第１リンク１１ａおよび第２リンク１１ｂから構成されている。他方の支持脚１２も第１リンク１２ａおよび第２リンク１２ｂから構成されている。これらの支持脚１１、１２における第１リンク１１ａ、１２ａは、相互に連結されており、一定の間隔で平行に同一方向に延びている。他方の第２リンク１１ｂ、１２ｂも相互に連結されており、一定の間隔で平行に同一方向に延びている。
【００２６】
伸縮式の支持脚１１、１２は作業台幅方向Ｘに長い長方形の架台１４によって支持されている。支持脚１１、１２の第１リンク１１ａ、１２ａの下端部は、作業台前後方向Ｙに延びる水平な連結軸１５を中心として上下に回動可能な状態で、当該連結軸１５に連結されている。連結軸１５は架台１４に固定されている。反対側の第２リンク１１ｂ、１２ｂの下端部は、作業台前後方向Ｙに延びる水平な連結軸１６を中心として上下方向に回動可能な状態で、当該連結軸１６に連結されている。連結軸１６は、作業台幅方向Ｘにスライド可能な状態で、架台１４に搭載されている。
【００２７】
支持脚１１、１２は、作業台幅方向Ｘに開閉すると作業台上下方向Ｚに伸縮可能である。支持脚１１、１２の開閉は、油圧シリンダ２１によって行われる。支持脚１１、１２と油圧シリンダ２１および油圧回路２２とによって、昇降機構２０が構成されている。油圧シリンダ２１は、連結軸１３の下側の位置において、第１リンク１１ａ、１２ａの連結軸と、架台１４の側の部位との間に架け渡されている。架台１４の裏面側には、昇降機構２０の油圧回路２２が配置されている。油圧回路２２には、上昇用ペダル２３および下降用ペダル２４が取り付けられている。上昇用ペダル２３を踏むと、油圧シリンダ２１の伸縮ロッド２１ａが伸張される方向に、作動油が油圧シリンダ２１に供給される。下降用ペダル２４を踏むと、油圧シリンダ２１の伸縮ロッド２１ａが引き込まれる方向に、作動油が油圧シリンダ２１に供給される。
【００２８】
伸縮ロッド２１ａが伸張すると、支持脚１１、１２が上方に伸長し、テーブル２が水平姿勢を維持したまま上昇する。逆に、伸縮ロッド２１ａを引き込むと、支持脚１１、１２が下方に縮み、テーブル２が下降する。本例では、図２において実線で示す最高高さ位置２Ｈから二点鎖線で示す最低高さ位置２Ｌまでの間で、テーブル２が昇降可能となっている。
【００２９】
架台１４の四隅には、高さ調整可能なアウトリガー１７が取り付けられている。アウトリガー１７のそれぞれを下方に張り出すことにより、架台１４を床面等に安定した状態で水平に置くことができる。すなわち、テーブル２を安定した水平姿勢にすることができる。
【００３０】
図４は右フリーローラー５ａ、５ｂの収納構造を示す説明図である。図４も参照して、各部の構造をさらに詳しく説明する。
【００３１】
まず、右フリーローラー５ａ、５ｂの収納構造を説明する。図３Ａ、図３Ｃから分かるように、右フリーローラー５ａは、ローラーブラケット３１によって回転自在の状態で支持されている。ローラーブラケット３１は、長方形の底板部分３１ａと、底板部分３１ａの両端から直角に起立している端板部分３１ｂ、３１ｃを備えている。端板部分３１ｂ、３１ｃの間に、右フリーローラー５ａが回転自在の状態で架け渡されている。
【００３２】
図３Ａ、図４から分かるように、ローラーブラケット３１は、一対の蝶番３２によって、旋回可能な状態で、テーブル２におけるローラー収納用開口部７ａの縁部に取り付けられている。ローラーブラケット３１の底板部分３１ａがテーブル２のテーブル面３上に位置する状態がローラー使用位置である。このローラー使用位置から、ローラーブラケット３１を、蝶番３２を中心として１８０度旋回すると、右フリーローラー５ａは、ローラー収納用開口部７ａからテーブル面３の下側のローラー収納位置に至る。
【００３３】
ローラーブラケット３１の底板部分３１ａは、ローラー収納用開口部７ａに丁度はまり込む大きさであり、ローラー収納位置においては、ローラー収納用開口部７ａを封鎖した状態になる。ローラー収納用開口部７ａの開口縁には、テーブル面３を規定している板の裏面に張り付けた１対の長方形の板３３の縁が突出しており、底板部分３１ａの縁が当該板３３の縁に係合する。これにより、ローラーブラケット３１は、ローラー収納用開口部７ａを封鎖した状態のローラー収納位置に保持される。
【００３４】
また、図３Ａから分かるように、ローラーブラケット３１の底板部分３１ａにおける開閉側の縁には、指掛け用の半円形の凹部３１ｄが付いている。これにより、ローラーブラケット３１の旋回を容易に行うことできる。すなわち、右フリーローラー５ａをローラー使用位置およびローラー収納位置に旋回させる操作を簡単に行うことができる。
【００３５】
なお、他方の右フリーローラー５ｂ、および、左フリーローラー４ａ、４ｂの収納構造も、右フリーローラー５ａと同様に構成されている。よって、これらの収納構造の説明は省略する。
【００３６】
次に、テーブル２の旋回構造について説明する。図３Ａ〜図３Ｃに示すように、テーブル２の裏面の中心部には、旋回中心線２ａを規定する旋回支軸３５が取り付けられている。旋回支軸３５は下方に垂直に突出している。テーブル支持盤８の上面には、旋回支軸３５を回転可能な状態で支持している軸受部３６が取り付けられている。また、テーブル支持盤８の上面には、旋回中心線２ａを中心とする同一円上に位置するように、４個のキャスター３７が回転自在の状態で垂直に取り付けられている。各キャスター３７の回転軸は、旋回中心２ａを向いて水平に配置されている。これら４個のキャスター３７に載った状態で、テーブル２が支持されている。定まった位置にあるキャスター３７が転動して、テーブル２を旋回中心線２ａ回りに滑らかに旋回させることができる。
【００３７】
ここで、図４から分かるように、テーブル２の旋回ロック機構９において、旋回ロックレバー９ａを操作すると、ロック用シャフト９ｂが押し出されて、テーブル２の外周側面２ｂに押し付けられる。ロック用シャフト９ｂを押し出すと、テーブル２の旋回がロックされる。
（作用効果）
このように構成した作業台１を用いてワークに対して作業を行う場合について説明する。まず、作業台１のテーブル２にワーク１００を載せる場合には、下降用ペダル２４を踏み、テーブル２を最低高さ位置２Ｌまで下降させる。これにより、重量のあるワーク１００、例えば車いすを簡単にテーブル２に載せることができる。
【００３８】
ワーク１００を定まった高さ位置において各部のメンテナンス作業を行う場合には、上昇用ペダル２３を踏んで、テーブル２を上昇させて作業員にとってワーク１００が最適の高さ位置となるように設定する。男性、女性、年配者の伸長差に応じた高さ位置にワーク１００を位置決めしてメンテナンス作業等を行うことができるので、腰を曲げての作業等といった腰痛等の原因となる無理な姿勢での作業を行う必要がない。よって、腰への負担が無い状態での作業を行うことができる。
【００３９】
同様に、ブラシによるワーク１００の手洗い作業等においても、床の上に置いたワークに対して作業員がしゃがんだ状態で作業を行う必要がなく、腰の負担のかからない立姿勢で手洗い作業を行うことができる。
【００４０】
また、ワーク１００の高圧洗浄においては、床等に置いたワークの周りを作業員が移動しながら洗浄作業を行う必要がなく、ワーク１００が載っているテーブル２を旋回させることで、定まった位置において高圧洗浄を行うことができる。よって、ホースをワーク１００の周りに引き回す必要がなく、洗浄作業を簡単に行うことができる。
【００４１】
さらに、テーブル２を任意の旋回位置でロックすることができる。したがって、ワーク１００の定まった部位の点検、部品交換等の作業において、旋回可能なテーブル２に載っている不安定状態のワーク１００に対して作業を行う必要がない。
【００４２】
さらには、テーブル２上においてワーク１００に対して、力を込めて清払作業を行う場合などにおいては、ワーク１００が移動あるいは揺れないように安定した状態にする必要がある。この場合には、テーブル２の旋回をロックするだけでなく、架台１４の四隅のアウトリガー１７を下方に張り出すことで、作業台１を確実に固定できる。よって、床にワーク１００を置いた状態での作業と同様に安定した状態でワークに対して作業を行うことができる。
【００４３】
次に、ワーク１００の各車輪１０１Ｌ、１０１Ｒのタイヤの汚れ落とし作業等においては、各車輪１０１Ｌ、１０１Ｒが左右のフリーローラー４ａ、４ｂ、５ａ、５ｂに載っており、回転可能な状態となっている。したがって、各車輪１０１Ｌ、１０１Ｒを簡単に回すことができるので、作業が容易になる。同様に、作業完了後におけるタイヤのラップ巻き作業においても、タイヤを回しながらラッピングできるので作業が極めて容易である。また、タイヤの各部の歪みチェック等の作業においてもタイヤを回しながら簡単に行うことができるので便利である。
【００４４】
次に、ワーク１００のブレーキチェック作業などにおいては、テーブル２上においてワーク１００を押しながらブレーキを掛けて、その効き具合を確認する必要がある。このような作業においては、左右のフリーローラー４ａ、４ｂ、５ａ、５ｂが邪魔になることがある。この場合には、左右のフリーローラー４ａ、４ｂ、５ａ、５ｂをテーブル面３の下側に収納すると、テーブル面３は全体としてフラットな面になる。よって、このような作業も、テーブル２上において、従来における床面上で行う場合と同様に行うことができる。
【００４５】
これに加えて、テーブル２の昇降は、上昇用ペダル２３および下降用ペダル２４を踏むことにより行うことができる。したがって、手作業を行いながら足踏みによってテーブル２を昇降させて、その上に載っているワーク１００を適切な高さ位置に位置決めできる。よって、ワークにおける異なる高さの部位の点検作業、部品交換作業、洗浄作業等を効率良く行うことができる。
【符号の説明】
【００４６】
１  車いす・歩行車専用作業台、２  テーブル、３  テーブル面、４ａ、４ｂ  左フリーローラー、５ａ、５ｂ  右フリーローラー、６ａ、６ｂ、７ａ、７ｂ  ローラー収納用開口部、８  テーブル支持盤、９  旋回ロック機構、９ａ  旋回ロックレバー、９ｂ  ロック用シャフト、１１、１２  支持脚、１１ａ、１２ａ  第１リンク、１１ｂ、１２ｂ  第２リンク、１３  連結軸、１４  架台、１５  連結軸、１６  連結軸、１７  アウトリガー、２０  昇降機構、２１  油圧シリンダ、２１ａ  伸縮ロッド、２２  油圧回路、２３  上昇用ペダル、２４  下降用ペダル、３１  ローラーブラケット、３１ａ  底板部分、３１ｂ、３１ｃ  端板部分、３１ｄ  凹部
【図１】
2014198103.tif 000003
【図２】
2014198103.tif 000004
【図３Ａ】
2014198103.tif 000005
【図３Ｂ】
2014198103.tif 000006
【図３Ｃ】
2014198103.tif 000007
【図４】
2014198103.tif 000008